(57)【特許請求の範囲】
【請求項１】
アルミニウムケーブル用の電気圧着コンタクトデバイス（１）であって、
ケーブルの導体の電気接続用の導体圧着領域（２０）と、ケーブルの絶縁体を固定するための絶縁体圧着領域（３０）とを有し、
前記導体圧着領域（２０）は、前記導体を固定するための固定デバイス（２３０，２３２，２３４）を有し、
少なくとも前記電気圧着コンタクトデバイス（１）のブランクにおいて、前記固定デバイス（２３０，２３２，２３４）は、前記電気圧着コンタクトデバイス（１）の長手軸（Ｌ）に対して斜めに延在し、及び／又は、前記固定デバイス（２３０，２３２，２３４）は、前記電気圧着コンタクトデバイス（１）の横断方向（Ｑ）に前記導体圧着領域（２０）のウェブ（２１３）によって遮断され、
前記絶縁体圧着領域（３０）は、前記横断方向（Ｑ）において交互に形成される第１の絶縁体固定ゾーン（３３２）および第２の絶縁体固定ゾーン（３３４）を有し、
前記第１の絶縁体固定ゾーン（３３２）は、前記長手軸（Ｌ）と交差する方向に延長するくぼみを含み、
前記第２の絶縁体固定ゾーン（３３４）は、突起を含む、
ことを特徴とする電気圧着コンタクトデバイス（１）。
【請求項２】
前記固定デバイス（２３０，２３２，２３４）のＶ字形の構造が、前記Ｖ字形の構造の先端が前記電気圧着コンタクトデバイス（１）の絶縁体圧着領域（３０）の方向を指すように、前記導体圧着領域（２０）に製造されることを特徴とする、
請求項１に記載の電気圧着コンタクトデバイス。
【請求項３】
前記長手軸（Ｌ）に対する前記Ｖ字形の構造又は前記固定デバイス（２３０，２３２，２３４）の側面の角（α）が、ゼロよりも大きく且つ直角よりも小さいことを特徴とする、
請求項２に記載の電気圧着コンタクトデバイス。
【請求項４】
前記角（α）は、４５°〜８９°であることを特徴とする、
請求項３に記載の電気圧着コンタクトデバイス。
【請求項５】
前記角（α）は、７０°〜７３°，７５°〜７８°，８０°〜８３°，８５°〜８７°±１°〜２°であることを特徴とする、
請求項４に記載の電気圧着コンタクトデバイス。
【請求項６】
前記固定デバイス（２３０，２３２，２３４）は、第１の固定ゾーン（２３２）及び第２の固定ゾーン（２３４）を備え、前記固定デバイス（２３０，２３２，２３４）の一方又は両方の固定ゾーン（２３２，２３４）は、前記長手軸（Ｌ）に対して斜めに延在することを特徴とする、
請求項１〜５のいずれか一項に記載の電気圧着コンタクトデバイス。
【請求項７】
前記固定デバイス（２３０，２３２，２３４）の前記第１の固定ゾーン（２３２）は、前記固定デバイス（２３０，２３２，２３４）の前記第２の固定ゾーン（２３４）に対して前記導体圧着領域（２０）上に／内に（ｏｎ／ｉｎ）ミラー反転して製造され、ミラー軸（Ｌ）は、前記電気圧着コンタクトデバイス（１）の前記長手軸（Ｌ）であることを特徴とする、
請求項６に記載の電気圧着コンタクトデバイス。
【請求項８】
前記導体圧着領域（２０）の前記ウェブ（２１３）は、前記第１の固定ゾーン（２３２）と前記第２の固定ゾーン（２３４）との間の前記横断方向（Ｑ）に設けられ、前記ウェブ（２１３）は、前記導体圧着領域（２０）の材料層（２００）の完全な厚みによって構成されることを特徴とする、
請求項１〜７のいずれか一項に記載の電気圧着コンタクトデバイス。
【請求項９】
前記固定デバイス（２３０，２３２，２３４）又は前記固定ゾーン（２３２，２３４）は、３Ｄ構造ゾーン（２３０，２３２，２３４）であり、
前記固定デバイス（２３０，２３２，２３４）又は前記固定ゾーン（２３２，２３４）は、少なくとも１つのリブ及び／又は溝、又は溝構造、波形構造、畝状構造又はセレーションを有することを特徴とする、
請求項１〜８のいずれか一項に記載の電気圧着コンタクトデバイス。
【請求項１０】
前記第１の絶縁体固定ゾーン（３３２）は、少なくとも１つのリブ又は溝、又は溝構造、波形構造、畝状構造又はセレーションを有し、及び／又は、前記第２の絶縁体固定ゾーン（３３４）は、少なくとも１つのカム、爪又はフック、又は瘤状構造、針構造又はフック構造を有することを特徴とする、
請求項１〜９のいずれか一項に記載の電気圧着コンタクトデバイス。
【請求項１１】
前記少なくとも２つの絶縁体固定ゾーン（３３２，３３４）は、前記絶縁体圧着領域（３０）上に／内に（ｏｎ／ｉｎ）絶縁体固定デバイス（３３０，３３２，３３４）として互いに明確に分離されるように製造され、前記第１の絶縁体固定ゾーン（３３２）は、前記第２の絶縁体固定ゾーン（３３３）に直接隣接して設けられることを特徴とする、
請求項１〜１０のいずれか一項に記載の電気圧着コンタクトデバイス。
【請求項１２】
アルミニウムケーブル用の組立済み電気ケーブルであって、
前記組立済みケーブルは、請求項１〜１１のいずれか一項に記載の電気圧着コンタクトデバイス（１）を有することを特徴とする組立済み電気ケーブル。
【発明の詳細な説明】
【技術分野】
【０００１】
本発明は、特にアルミニウムケーブル用の電気圧着コンタクトデバイスに関し、好ましくは自動車部門用のタブコンタクト、スプライスコンタクト又はソケットコンタクトデバイスに関する。本発明は、更に、組立済み電気ケーブル、特にアルミニウムケーブルに関する。
【背景技術】
【０００２】
電子工学及び電気工学では、多数の電気接続、特に、最大限の範囲の電流、電圧、周波数及び／又はデータレートによって、電流、電圧及び／又は電気信号を伝送するように機能するプラグ型接続が知られている。特に自動車部門において、かかる接続は、熱が加えられた、汚く、湿気の多い条件及び／又は化学的に浸食される条件下における電力、電気信号及び／又はデータの正確な伝送を、比較的長い時間の後に適用可能であれば一時的に、又は永続に確実なものとしなければならない。接続の様々な用途により、プラグ型接続におけるプラグ型コンタクトとして作用する多くの特別に構成された電気コンタクト又はコンタクトデバイス、特に、圧着コンタクトデバイスが知られている。
【０００３】
かかる圧着コンタクトデバイスは、例えば、タブ、スプライス、又はソケットコンタクトデバイス又は装置（ｉｎｓｔａｌｌａｔｉｏｎｓ）として構成され、電気ケーブル、ケーブルハーネス上及び／又は、導電体上に及び／又はその内部に（ａｎｄ／ｏｒ  ｏｎ／ｉｎ）圧着されることがある。また、これらは、電気、電子又は電気光学装置の電気装置（ａｎ  ｅｌｅｃｔｒｉｃａｌ  ｉｎｓｔａｌｌａｔｉｏｎ）上に固定的に製造されてもよい。コンタクトデバイスがケーブル又はケーブルハーネス上に位置する場合は、コンタクトデバイスは、（浮動）プラグ型又はソケットコンタクトデバイス、又はコネクタ、又は連結器と呼ばれることが多く、コンタクトデバイスが電気、電子又は電気光学デバイス上に／内に（ｏｎ／ｉｎ）位置する場合は、通常、埋め込み型コンタクトデバイス又は装置（ｉｎｓｔａｌｌａｔｉｏｎ）又は埋め込み型ソケットと呼ばれる。
【０００４】
永続的な電気接続に加えて、ケーブルと圧着コンタクトデバイスの導体圧着領域との間では、コンタクトデバイスによって永続的な機械的接続も生じなければならない。電気機械的接続のために、圧着コンタクトデバイスは、導体圧着領域と、多くの場合はケーブル用の絶縁体圧着領域とを有する。小型化とコスト削減によって、製造業者は、より小さく且つより薄いコンタクトデバイスを目指すことを余儀なくされている。
【発明の概要】
【発明が解決しようとする課題】
【０００５】
本発明の目的は、好ましくは自動車部門用の、例えば、タブコンタクト、スプライスコンタクト又はソケットコンタクトデバイス等の、特にアルミニウムケーブル用の改良した電気圧着コンタクトデバイスを提供することである。本発明の目的は、更に、改良した組立済み電気ケーブル、特にアルミニウムケーブルを提供することである。この場合、圧着コンタクトデバイスの打抜きブランクは、コンタクトデバイスを形成するように正確に整形されることができることが意図されている一方、十分な剛性を有することが意図されている。更に、圧着コンタクトデバイスの圧着は、可能な限り正確且つ問題無く実行されることができることが意図され、また、アルミニウム導体に対して永久的な電気的且つ機械的接続を行うことが意図されている。
【課題を解決するための手段】
【０００６】
本発明の目的は、請求項１に係る電気圧着コンタクトデバイスによって、及び請求項１２に係る組立済み電気ケーブルによって達成される。本発明の有利及び／又は発展、更なる特徴や利益は、従属請求項及び本発明の以下の記載から理解されるだろう。
【０００７】
本発明に係る圧着コンタクトデバイスは、ケーブルの導体の電気的圧着接続用の導体圧着領域を有し、導体圧着領域は、導体を固定して接触するための固定デバイスを備える。本発明によれば、固定デバイスは、コンタクトデバイスの長手軸に対して斜めに即ち角度を付けてコンタクトデバイスの少なくともブランク、好ましくは打ち抜きブランクに配置されることができる。更に、固定デバイスは、コンタクトデバイスの横断方向に導体圧着領域のウェブによって好ましくは完全に遮断又は架橋されてもよく、ウェブ自体は、長手軸の方向に実質的に延在し、固定デバイスを好ましくは実質的に同じ大きさの２つの部品に分離する。２つの部品同士間のその他の比率は当然可能である。
【０００８】
従って、本発明によれば、少なくともブランクの傾斜した即ち角度を付けた固定デバイス又は横断方向に遮断又は架橋された固定デバイスのどちらかが、コンタクトデバイス上に／内に（ｏｎ／ｉｎ）設けられてもよい。本発明の最後の実施形態では、これは、先行技術において教示されているように、コンタクトデバイスの長手軸に垂直に延在する軌道（ｐａｔｈ）を有してもよい。当然のことながら、コンタクトデバイスの各ブランクの比較的薄い金属板では、単一のコンタクトデバイスにおいて本発明の両方の特徴を統合すること及びそれに対応してコンタクトデバイスを構成することができ、好ましくもある。
【０００９】
固定デバイスの軌道（ｐａｔｈ）の斜めの配置は、特に、導体圧着領域の接続基部に対して曲げ又は整形及び／又は圧着中に導体圧着領域の圧着側面又は固定デバイスの長手軸の方向のずれが補償されることができるように、及び／又は、補償されるように構成される。即ち、各圧着側面又は固定デバイスの長手方向のずれは、各ブランクがコンタクトデバイスを形成するように整形される際に、及び／又は、その後のコンタクトデバイス即ち圧着されたコンタクトデバイスにおいて、コンタクトデバイスの長手軸に対する固定デバイスの実質的に垂直な軌道（ｐａｔｈ）が生成されるように固定デバイスが圧着される際に、補償される。
【００１０】
本発明によれば、固定デバイスのＶ字形、矢印形又は鏃状の構造、即ち、側面の斜めの配置及び固定デバイスによって形成されるＶ字、矢印又は鏃の形状が設けられてもよい。固定デバイスのＶ字、矢印又は鏃は、その先端が前記コンタクトデバイスの絶縁体圧着領域の方向を指すように導体圧着領域上に／内に（ｏｎ／ｉｎ）製造されることができる。この場合、複数又は多数のＶ字又は鏃を、一方が他方の内側にあるように嵌合することが好ましい。その場合、この複数又は多数のＶ字又は鏃は、コンタクトデバイスの長手方向にセレーションを生成する。
【００１１】
従って、好ましくはコンタクトデバイスのブランクステージ（段階）において、固定デバイスの外側領域は、その代わりに、電気的な相手コンタクトデバイスとの組立のためのコンタクトデバイスの電気コンタクト領域の方向を指す。固定デバイスのＶ字の側面又はコンタクトデバイスの長手軸に対して矢印又は鏃の形状で構成された固定デバイスの角又は内角は、ゼロよりも大きく且つ直角よりも小さい。角又は内角は、好ましくは４５°〜８９°であり、特に７０°〜７３°、７５°〜７８°、８０°〜８３°、８５°〜８７°±１°〜２°である。
【００１２】
固定デバイスは、少なくとも第１の固定ゾーンと、少なくとも第２の固定ゾーンとを備えていてもよく、一方又は両方の固定ゾーンは、長手軸に対して斜めに即ち角度を付けて延在する。単一の固定ゾーンのみを固定デバイスとして設ける即ち製造することも可能である。この場合、固定デバイスの第１の固定ゾーンは、固定デバイスの第２の固定ゾーンに対して導体圧着領域上に／内に（ｏｎ／ｉｎ）ミラー反転して製造されてもよい。この場合、コンタクトデバイスの長手軸は、好ましくは、２つの各固定ゾーンのミラー軸である。好ましくは、固定デバイス及びウェブも、この軸反射において、それら自体の上に結像（ｉｍａｇｅ）させることができる。
【００１３】
本発明の好適な実施形態では、導体圧着領域のウェブは、横断方向に第１の固定ゾーンと第２の固定ゾーンとの間に設けられ、ウェブは、好ましくは、導体圧着領域の材料層の完全な厚みによって構成される。固定デバイス又は固定ゾーンは、少なくとも１つのメゾスコピック又はマクロスコピックな凹み及び／又は少なくとも１つのメゾスコピック又はマクロスコピックな突起を備える。好ましくは、固定デバイス又は固定ゾーンは、３Ｄ構造ゾーンであり、固定デバイス又は固定ゾーンは、好ましくは、少なくとも１つのリブ及び／又は溝、又は溝構造、波形構造、畝状構造又はセレーションを有する。
【００１４】
３Ｄ構造ゾーンの側面の軌道（ｐａｔｈ）は、コンタクトデバイスの長手軸に対して斜めに即ち角度を付けて配置され、及び／又は、導体圧着領域のウェブによって横断方向に遮断又は架橋される限り、実質的に任意の形状である。３Ｄ構造ゾーンの各側面は、これらの周辺条件の外側で特に直線状に延在してもよい。しかしながら、３Ｄ構造ゾーンの各側面の曲線状の、又は部分的に直線状且つ部分的に曲線状の軌道（ｐａｔｈ）を使用することもできる。側面の切れ目等を使用することもできる。３Ｄ構造ゾーンの側面は、任意で、相互に部分的に平行とする、及び／又は、任意で部分的に収束及び／又は分岐するように構成されてもよい。
【００１５】
本発明によれば、各圧着側面が移動することによりコンタクトデバイスの曲げ及び／又は圧着中に長手方向に移動する固定デバイスは、この長手方向のずれが、固定デバイスの構造によって補償されることができるようにコンタクトデバイス内に製造されることができる。これにより、比較的短いコンタクトデバイス及び／又は比較的薄いコンタクトデバイスを提供することができる。更に、比較的薄いコンタクトデバイスであるにも拘らず、ウェブによって十分に強固に構成されたコンタクトデバイスを提供することができる。各ブランクは、コンタクトデバイスを形成するように正確に整形することができ、この場合も同様に圧着が簡素である。
【００１６】
絶縁体圧着領域は、ケーブルの絶縁体を機械的に締め付けるように機能する。本発明の好適な実施形態では、絶縁体圧着領域は、ケーブルの絶縁体が絶縁体圧着領域によって機械的に固定されることができるような種類の絶縁体固定デバイスを有する。かかる絶縁体固定デバイスは、例えば、コンタクトデバイスの長手軸に垂直に横断方向に、特に横断方向の実質的に全体に渡って延在してもよい。絶縁体の機械的締付は、各圧着側面による摩擦係合に基づき、絶縁体の機械的固定は、ポジティブロック係合に基づき、ポジティブロック係合は、特に圧着側面の摩擦係合によって維持することができる。
【００１７】
前記絶縁体固定デバイスは、前記締付に加えて機械的固定用の少なくとも２つの、好ましくは異なるように構成された絶縁体固定ゾーンを含んでもよい。この場合、第１の絶縁体固定ゾーンは、好ましくは、少なくとも１つのリブ又は溝、又は溝構造、波形構造、畝状構造又はセレーションを有してもよい。更に、第２の絶縁体固定ゾーンは、好ましくは、少なくとも１つのカム、爪又はフック、又は瘤状構造、針構造又はフック構造を有してもよい。前記少なくとも２つ絶縁体固定ゾーンは、前記絶縁体圧着領域上に／内に（ｏｎ／ｉｎ）絶縁体固定デバイスとして互いからはっきりと分離するように製造されてもよく、前記第１の絶縁体固定ゾーンは、好ましくは、前記第２の絶縁体固定ゾーンに直接隣接して設けられる。
【００１８】
当然のことながら、好ましくは２つの絶縁体固定ゾーンの一方として構成された単一の絶縁体固定デバイスのみを設けることもでき、これらは、好ましくは、コンタクトデバイスの横断方向に幅の実質的に全てに渡って延在することができる。ケーブルの絶縁体の更なる固定により、ケーブルの絶縁体は、一方で、固定により絶縁体圧着から直ぐにはスライドすることが出来ないため、きつい絶縁体圧着を構成することができ、長手方向に比較的短くなるように更に構成することができる。絶縁体圧着は、圧着されたコンタクトデバイスが曲げられる時でもしっかりと保持する。
【図面の簡単な説明】
【００１９】
本発明は、実施形態及び添付の図面を参照して以下により詳細に説明される。同一、一義的又は類似の構造及び／又は機能を有する部材又は部品は、図面の異なる図において同一の参照符号によって指定される。以下は図面の概略的な図である。
【図１】本発明に係る圧着コンタクトデバイスの打抜きブランク又は整形／打抜きブランクの斜視図であり、圧着コンタクトデバイスに固定される電気ケーブルの導体のために圧着コンタクトデバイス上に構成された本発明に係る固定デバイスを有する。
【図２】本発明に係る圧着コンタクトデバイスの打抜きブランク又は整形／打抜きブランクの平面図であり、圧着コンタクトデバイスの導体圧着領域上に／内に（ｏｎ／ｉｎ）本発明に係る固定デバイスの第２の実施形態を備える。
【発明を実施するための形態】
【００２０】
本発明は、自動車部門のための電気コンタクトデバイス１又はコンタクト装置（ｃｏｎｔａｃｔ  ｉｎｓｔａｌｌａｔｉｏｎ）１の２つの実施形態を参照して以下に詳細に説明される。例えば、真っ直ぐに構成、湾曲して構成、又は屈曲させて構成されたコンタクトデバイス１は、導体圧着領域２０として構成された少なくとも１つの圧着領域を有する圧着コンタクトデバイス１として構成され、コンタクトデバイス１は、タブ（図１）、ソケット（図２）、ピン又はスタッドコンタクトデバイス、扁平コネクタ（図１）又は挿入スリーブ（図２）として構成することができる。当然のことながら、ここでは言及されていないその他のコンタクトデバイス１上に本発明を使用することは可能である。
【００２１】
コンタクトデバイス１は、本発明に係る導体圧着領域２０を有するだけでよい。電気ケーブルの絶縁体の機械的固定は、圧着せずに、例えば接着剤による接着等によって行うこともできる。コンタクトデバイス１上に設けることができるケーブルは、例えば、電線、ケーブルハーネスのワイヤ又は部品、ケーブル束等である。ケーブルの導体は、撚り線、芯線又は単線でもよいが、容易に圧着することができる撚り線が好ましい。本発明に係るコンタクトデバイス１を備えるケーブルは、組立済み又はプレハブケーブルと呼ばれる。
【００２２】
図１及び図２は、夫々、本発明に係るコンタクトデバイス１の打抜きブランク又は整形／打抜きブランクを示し、即ち、コンタクトデバイス１は、開いた状態、即ち、実際の圧着可能なコンタクトデバイス１が実際の圧着可能なコンタクトデバイス１を形成するように垂直に曲げられる即ち整形される前の状態で示されている。打抜きブランク又は整形／打抜きブランクの代わりに、コンタクトデバイス１の任意のその他のブランクを使用することもできる。コンタクトデバイス１は、電気的な相手コンタクトデバイスのための電気的且つ好ましくは機械的なコンタクト領域１０を有する。このコンタクト領域１０は、移行領域１９を介して、ケーブルの圧着可能な導電体のための電気的且つ好ましくは機械的でもある導体圧着領域２０に一体化している。
【００２３】
導体圧着領域２０は、同様に、移行領域２９を介して、好ましくは、ケーブルの（絶縁体による）電気絶縁体及び任意で導電体用の機械的絶縁体圧着領域３０に一体化している。この領域は、絶縁体圧着領域３０と呼ばれてもよい。ブランク及び／又は整形されたコンタクトデバイス１は、特に打抜きによって行われたその作製の後に、好ましくはリール４０又はバンドローラー４０（図１）に懸架される。コンタクトデバイス１の圧着作業前、その作業中、又はその作業後、コンタクトデバイス１はリール４０から分離することができる。圧着作業後、各圧着領域２０，３０は、圧着スリーブ２０，３０とも呼ばれる。
【００２４】
コンタクトデバイス１を整形して圧着可能なコンタクトデバイス１を形成する際に、コンタクト領域１０の材料層１００を曲げて、タブ１３０、コンタクト舌片１３０、コンタクトケージ又はコンタクトケーシング等を形成する。この場合、特にタブ１３０即ちコンタクト舌片１３０が使用される場合、コンタクトデバイス１上には、別部品として構成された（ロッキング／コンタクト）ケージ即ちケーシングが設けられてもよく、このケージ即ちケーシングよって、実際のコンタクトデバイス１は、例えばハウジング内に係合されることができ、及び／又は、このケージ即ちケーシングは、例えば、コンタクトデバイス１が取り扱われる際、又はコンタクトデバイス１が相手コンタクトデバイスに結合される際、コンタクト舌片１３０を過伸展から保護するために、コンタクト舌片１３０を案内、即ち、コンタクト舌片１３０をその移動の自由度に関して制限する。
【００２５】
更に、打抜きブランクを整形してコンタクトデバイス１を形成する際に、導体圧着領域２０の材料層２００を真っ直ぐに曲げて、実質的にＵ字形又はＶ字形の接続基部２１０を形成し、且つ少なくとも１つ、好ましくは２つの圧着側面２２０、タブ２２０即ち翼２２０を形成する。電線が導体圧着領域２０に圧着される際、圧着側面２２０は折り曲げられ、導体クリンプが構成される（摩擦／非ポジティブロック係合）。導体圧着領域２０の内側は、導体用の固定デバイス２３０を有する。この固定デバイス２３０は、好ましくは、鋭利な縁の溝（セレーション）を備えることが好ましく、これらの溝は、圧着中に好ましくはアルミニウムを備える導体の酸化層をこじ開け、部分的な冷間圧接（物質的には係合接続）を確実なものとし、その結果、永久に良好な電気接続を確立する。
【００２６】
一体的なコンタクトデバイス１、即ち、容易には分離すことができない又は非ポジティブロック式及び／又はポジティブロック式に結び付けられたコンタクトデバイス１、好ましくは物質的に一体的なコンタクトデバイス１、即ち、物質的に係合する方法で結び付けられて、部品を損傷することなく分離することは不可能であるコンタクトデバイス１、又は特に一体的なコンタクトデバイス１、即ち、単一のピースから成るという意味で均一に製造されたコンタクトデバイス１は、後部に向かってその長手方向Ｌに、即ち、コンタクト領域１０から離れる向きに、絶縁体圧着領域３０を有し、絶縁体圧着領域３０は、従って、導体圧着領域２０に隣接している。絶縁体圧着領域３０の単純な断面形状は、圧着作業前は、導体圧着領域２０と同様に実質的にＵ字形又はＶ字形である。図１及び図２に見ることができる打抜きブランクの形状では、コンタクトデバイス１の実質的に全ての材料層１００，２００，３００は、相互に整列しており、実質的に平面状である。
【００２７】
導体圧着領域２０が整形される及び／又は圧着される際、圧着側面２２０の部分的な変位があり、その結果、コンタクトデバイス１の長手軸Ｌの方向に接続基部２１０に対する固定デバイス２３０の部分的な変位も存在する。これは、絶縁体圧着領域３０の方向に固定デバイス２３０上の矢印（軸を有する）によって図２に示されている。この変位は、圧着側面２２０の左右の横断方向の端部上に／内に（ｏｎ／ｉｎ）おいて最も大きい。その結果、短い「クリンプ」によって、セレーションの機能溝の数即ちその一部が減少する。本発明によれば、従って、固定デバイス２３０は構成され、且つ、特に、固定デバイス２３０の長手方向のずれが、好ましくは接続基部２１０の反対側で補償されることができる又は補償されるように、導体圧着領域２０上に／内に（ｏｎ／ｉｎ）斜めに配置された状態で設けられる即ち構成される。
【００２８】
図１は、打抜きブランクを整形して実際の圧着可能なコンタクトデバイス１を形成する前の打抜きブランクにおける固定デバイス２３０の上記のような補償傾斜位置を示す。本発明に係る固定デバイス２３０は、この目的で、接続基部２１０上で互いに接触する、即ち、互いに直接隣接する２つの固定ゾーン２３２，２３４を有する。単一の固定ゾーン２３２，２３４は、好ましくは、少なくとも１つの溝及び／又はリブ、溝付き構造、波形構造、畝状構造又はセレーションを有する３Ｄ構造ゾーン、即ち、コンタクトデバイス１の実質的に横断方向Ｑに延在する幅広な歯を有する「歯状装置」として構成される。この場合、２つの固定ゾーン２３２，２３４は、好ましくは、同様に且つ特に長手軸Ｌに対してミラー反転して構成される。単一の固定ゾーン２３２，２３４を固定デバイス２３０として用いることもできる。
【００２９】
各固定ゾーン２３２，２３４は、長手軸Ｌに対して斜めに角α即ち内角αで設けられる。この場合、角αは、各固定ゾーン２３２，２３４の側面とコンタクトデバイス１の長手軸Ｌの間の角である。角αは、直角よりも小さく、好ましくは、約０．５〜２０°小さい。２つの固定ゾーン２３２，２３４は、それらの間に鏃状の形状（即ち、軸の無い矢印）を形成し、この矢印の「頭」は、コンタクト領域１０から離れてコンタクトデバイス１の打抜きブランクの絶縁体圧着領域３０の方を指す。角α、即ち内角αは、この場合、矢印内の長手軸Ｌからその外境まで延在している（固定ゾーン２３２に関して図１及び図２を夫々参照）。本発明によれば、打抜きブランクのレイアウトにおいて整形作業（任意ではあるが、圧着）中の固定デバイス２３０の変位に関する規定が設けられる。
【００３０】
圧着可能なコンタクトデバイス１を形成するための打抜きブランクの整形作業中及び／又は圧着可能なコンタクトデバイス１の圧着（整形作業）中には、この角α、即ち内角αは、好ましくは約９０°まで増加する。それにより、より小さく且つより薄いコンタクトデバイス１であっても、小さな圧着長さを得ることができ、これは、より短く且つ物質的にも減少したコンタクトデバイス１において見ることができる。かかるコンタクトデバイス１は、特にアルミニウムケーブルに適しているが、銅ケーブル又はその他の導電体を有するケーブルも当然のことながら使用可能である。より効果的な導体圧着又はより効果的な導体圧着スリーブにより、電気的によりロバストな接続が更に生じる。
【００３１】
コンタクトデバイス１上に／内に（ｏｎ／ｉｎ）おいて横断方向Ｑに連続的である固定デバイス２３０は、例えばセレーションの打ち抜き（整形打ち抜き方法）により、打抜きブランクの材料層２００を弱め、幾つかの部分で固定デバイス２３０の領域において、比較的大きく減少する。その結果、コンタクトデバイス１は、当該領域において、その反対側よりも不安定になる。この問題は、特に接続基部２１０の領域における固定デバイス２３０即ちセレーションの切れ目により、本発明に従って克服され、即ち、コンタクトデバイス１の弱体化は低減する。即ち、本発明によれば、この領域には、固定デバイス２３０又は固定ゾーン２３２，２３４を設けず、好ましくは、コンタクトデバイス１の元の材料層（１００），２００，（３００）が、長手方向Ｌに維持される。図２を参照のこと。
【００３２】
本発明の実施形態では、コンタクトデバイス１の打抜きブランクでは、更に、又は固定デバイス２３０の斜めの配置に対する代替手段として、好ましくは接続基部２１０にウェブ２１３が設けられ、コンタクトデバイス１を補強する。この場合、ウェブ２１３は、好ましくは、固定ゾーン２３２，２３４間、且つ好ましくは移行領域１９から移行領域２９内の／上の（ｉｎ／ｏｎ）位置まで導体圧着領域２０上に延在する。ウェブ２１３は、特にコンタクトデバイス１の未変形の材料層２００を備える。それにより、比較的薄いコンタクトデバイス１が、全体的により安定する。
【００３３】
コンタクトデバイス１の安定性は、コンタクト領域１０に対して接続基部２１０及び／又は移行領域１９上の／内の（ｏｎ／ｉｎ）ビード２３６即ち補強打ち抜き部２３６によって更に改良されてもよい。ビード２３６は、この場合、ウェブ２１３上に、又は任意でその内部に部分的に設けられてもよい。この場合、ビード２３６は、好ましくは、導体圧着領域２０と移行領域１９との間に、又は両領域１９，２０の一方及び／又は両方へ延出するように設けられる。特に接続基部２１０の領域における本発明に係るウェブ２１３即ち固定デバイス２３０の本発明に係る切れ目は、先行技術に係るコンタクトデバイスの従来の固定デバイス上で使用することもできる。
【００３４】
更に、コンタクトデバイス１は、特別な方法によって構成された、ケーブルの絶縁体の機械的圧着のために機能する絶縁体圧着領域３０を有してもよい。絶縁体圧着領域３０、即ち、圧着基部３１０及び／又は一方又は両方の圧着側面３２０は、この場合、ケーブルの絶縁体が、機械的圧着に加えて、絶縁体圧着領域３０によって機械的に固定されることができるように絶縁体を固定するための絶縁体固定デバイス３３０を有する。絶縁体固定デバイス３３０は、少なくとも１つのメゾスコピック又はマクロスコピックな凹み及び／又は少なくとも１つのメゾスコピック又はマクロスコピックな突起を備える。絶縁体圧着領域３０とケーブルの絶縁体との間で絶縁体圧着が構成される際、突起は、好ましくは、絶縁体及び／又は凹み内の絶縁体内で係合する。
【００３５】
絶縁体圧着領域３０の材料層３００は、絶縁体固定デバイス３３０として、好ましくは異なる材料厚みを有する少なくとも１つの絶縁体固定ゾーン３３２，３３４を有する。絶縁体固定デバイス３３０の材料層３００は、この場合、第１の点について、材料層３００の単純な断面形状を有し、第２の点について、この断面形状からの逸脱を有する。絶縁体圧着領域３０は、コンタクトデバイス１の横断方向Ｑ及び／又は長手方向Ｌに，複数の相互に離間した絶縁体固定ゾーン３３２，３３２，３３２，３３４，３３４，３３４を有してもよい。
【００３６】
本発明の実施形態では、絶縁体圧着領域３０は、好ましくは、複数の、特に２つ、３つ又は４つの同様な絶縁体固定ゾーン３３２，３３４が横断方向Ｑに互いに離間し、また、好ましくは、複数の、特に２つの異なる絶縁体固定ゾーン３３２，３３４が長手方向Ｌに互いに離間している。第１の絶縁体固定ゾーン３３２は、好ましくは、好ましくは少なくとも１つのリブ又は溝を備える第１の種類の３Ｄ構造ゾーン３３２である。第２の絶縁体固定ゾーン３３４は、好ましくは、好ましくは少なくとも１つのカム又は爪を備える第２の種類の３Ｄ構造ゾーン３３４である。
【００３７】
本発明の好適な実施形態では、コンタクトデバイス１の絶縁体圧着領域３０は、横断方向Ｑに、複数の、特に４つの第１の種類の３Ｄ構造ゾーン３３２と、複数の、特に３つの第２の種類の３Ｄ構造ゾーン３３４を有する。この場合、第１の種類の３Ｄ構造ゾーン３３２は、好ましくは、横断方向Ｑに第２の種類の３Ｄ構造ゾーン３３４と交互になっていてよく、第１の種類の３Ｄ構造ゾーン３３２は、好ましくは、長手方向Ｌに第２の種類の３Ｄ構造ゾーン３３４に対して、特に重なり合わずに互いに隣接してよい。
【００３８】
絶縁体固定デバイス３００の２つの絶縁体固定ゾーン３３２，３３２，３３２，３３４，３３４，３３４は、本発明によれば、好ましくは、はっきりと互いに分離された状態、即ち、互いに区切られた又は互いから締め出された状態に設けられる。即ち、２つの絶縁体固定ゾーン３３２，３３２，３３２，３３４，３３４，３３４は、好ましくは、互いに一体化しない。しかし、これは、境界領域では可能である。特に、少なくとも２つの絶縁体固定ゾーン３３２，３３２，３３２，３３４，３３４，３３４は、互いに隣接して、特に互いに直接隣接して設けられる。好ましくは、絶縁体固定ゾーン３３２，３３２，３３２，３３４，３３４，３３４は、絶縁体圧着領域３０の横断方向Ｑに設けられ、任意で圧着側面３２０の横断方向端又は横断方向端部分を除いて、絶縁体固定ゾーン３３２，３３２，３３２，３３４，３３４，３３４が絶縁体圧着領域３０の横断方向Ｑの実質的に全体を架橋するように、任意で直線状に又はジグザグに交互になっている。
【００３９】
原理上は、絶縁体圧着領域３０上の／内の（ｏｎ／ｉｎ）絶縁体固定ゾーン３３２，３３２，３３２，３３４，３３４，３３４の可能な分布は、任意の種類のものでもよい。しかしながら、これらは、好ましくは、コンタクトデバイス１が曲げられる際及び／又はケーブルが絶縁体圧着領域３０上で屈曲される際に、ケーブルの絶縁体が絶縁体クリンプから滑り落ちないように、即ち、コンタクトデバイス１の絶縁体圧着領域３０から滑り落ちないように分布するように選択及び／又は配置をされる。この場合、２つの絶縁体固定ゾーン３３２，３３４の１つの組み合わせ又は複数の組み合わせが好ましく、第１の種類の絶縁体固定ゾーン３３２は、弾性的にのみケーブルの絶縁体を変形し、第２の種類の絶縁体固定ゾーン３３４は、弾性的に、且つ任意で塑性的に、例えば、食い込み又は突き刺しによってケーブルの絶縁体を変形させる。
【００４０】
絶縁体固定ゾーン３３２，３３２，３３２，３３４，３３４，３３４は、好ましくは、絶縁体圧着領域３０とケーブルの絶縁体との間に液密接続を生じさせることができるように構成される。これは、例えば、２つの異なる絶縁体固定ゾーン３３２，３３４（図１及び２を参照）が、互い違いに交互に配置されるように行われてもよい。この場合、第１の種類の絶縁体固定ゾーン３３２は、横断方向Ｑに長手方向位置に互いに離間して設けられてもよい。同様に、第２の種類の絶縁体固定ゾーン３３４の列も互い違いに配置され、即ち、これらも、別の長手方向位置に横断方向Ｑに互いに離間して設けられる。第１の種類の２つの直接隣接する絶縁体固定ゾーン３３２の間の横断方向Ｑの間隙は、この場合、第２の種類の絶縁体固定ゾーン３３４と実質的に同じくらい又はそれよりも僅かに大きい又は小さく、またその逆も然りである。
【００４１】
更に、導体圧着領域２０と絶縁体圧着領域３０との間の移行領域２９に横断方向Ｑに切り込みを入れない、即ち、はっきりと互いに対してずれた又は互いから分離した圧着側面２２０，３２０を設けないことが好ましい。即ち、このような場合、コンタクトデバイス１上に／内に圧着翼２２０，３２０がない。これは、図１及び図２に明確に見ることができ、コンタクトデバイス１は、好ましくは、導体圧着領域２０から絶縁体圧着領域３０の方向に横断方向Ｑに広くなっていくか（図１及び図２を参照）、横断方向Ｑのその寸法を実質的に又は主に維持する。
【００４２】
コンタクトデバイス１の単一の組み立てられた圧着側面２２０，２９，３２０、即ち、コンタクトデバイス１の長手方向側の組み立てられた圧着側面２２０，２９，３２０は、この場合、導体圧着領域２０の単一の圧着側面２２０（圧着翼２２０）と、絶縁体圧着領域３０と移行領域２９との間に位置する絶縁体圧着領域３０と移行領域２９の単一の圧着側面３２０（圧着翼３２０）を備える。組み立てられた圧着側面２２０，２９，３２０の外縁は、この場合、コンタクトデバイス１の長手軸Ｌから離間して設けられる。即ち、移行領域２９は、仮想の圧着翼２２０，３２０（圧着側面２２０，３２０）間の間隙を実質的に完全に埋める。
【図１】
0006543196.tif 000002
【図２】
0006543196.tif 000003